(57)【要約】【課題】一枚の包装紙を折って第１乃至第４連結片を結合することによって、包装紙の裁断無しに簡便に製造すること。【解決手段】本発明に係る包装紙ボックスは、収容空間を形成し、第１及び第２連結片を含む胴体部と、前記胴体部を覆うカバー部と、前記胴体部と前記カバー部との間に嵌挿連結される第３及び第４連結片を含む連結部とを備えてなり、前記第１及び第２連結片が互いに結合され、前記第３及び第４連結片が結合されることを特徴とする。【選択図】図１
2008155997.tif 000002
【特許請求の範囲】
【請求項１】
広告面を有する包装紙で製造される包装紙ボックスであって、
収容空間を形成し、第１及び第２連結片を含む胴体部と、
前記胴体部を覆うカバー部と、
前記胴体部と前記カバー部との間に嵌挿連結される第３及び第４連結片を含む連結部とを備えてなり、
前記第１及び第２連結片が互いに結合され、前記第３及び第４連結片が結合されることを特徴とする包装紙ボックス。
【請求項２】
前記第１と第２の各連結片は、折畳時に同じ位置に重なって形成される一対の切取線を含み、前記第１の連結片の切取線に、第２の連結片が挿入され、前記第２の連結片の切取線に、第１の連結片が挿入されることを特徴とする請求項１記載の包装紙ボックス。
【請求項３】
前記第３と第４の各連結片は、折畳時に互いに対向する位置に形成された一対の切取線を含み、前記第３と第４のいずれか一方の連結片の切取線に、他方の連結片が挿入されることを特徴とする請求項１記載の包装紙ボックス。
【請求項４】
前記第１乃至第４連結片は、前記一対の切取線に延長形成された切取溝を含むことを特徴とする請求項１乃至３のいずれかに記載の包装紙ボックス。
【請求項５】
前記胴体部は、前記収容空間を形成するために底片、左右片、前方片及び後方片を含むことを特徴とする請求項１に記載の包装紙ボックス。
【請求項６】
前記左右片には、通気口が形成されたことを特徴とする請求項５に記載の包装紙ボックス。
【請求項７】
前記カバー部は、上部片と、該上部片から延長されて折曲された延長片と、を含むことを特徴とする請求項１に記載の包装紙ボックス。
【請求項８】
前記延長片には、前記胴体部に設けられた固定溝に挿入される係止部を含むことを特徴とする請求項７に記載の包装紙ボックス。
【請求項９】
前記カバー部は、前記上部片から左右側に延長されて折曲された左右延長片をさらに含むことを特徴とする請求項７又は８に記載の包装紙ボックス。
【請求項１０】
前記第１及び第２連結片のうちいずれか一方の連結片には、折畳時に下方に開口される第１切取線が形成され、
他方の連結片には、折畳時、上方に開口される第２切取線が形成され、
前記第１切取線に前記第２切取線が嵌挿されることによって連結片が結合されることを特徴とする請求項１に記載の包装紙ボックス。
【請求項１１】
前記第３及び第４連結片は、折畳時に互いに対向する位置に形成された一対の切取線と、該一対の切取線に対応する位置に形成された１つの切取線と、を含み、
前記一対の切取線及び１つの切取線に対応する連結片が挿入されることを特徴とする請求項１０に記載の包装紙ボックス。
【請求項１２】
前記上部片は、通気口が形成されたものであることを特徴とする請求項７に記載の包装紙ボックス。
【請求項１３】
前記カバー部は、前記通気口が開閉できるように開閉部が設置されたことを特徴とする請求項６又は１２に記載の包装紙ボックス。
【請求項１４】
前記第３及び第４連結片のうちいずれか一方の連結片には、対角線方向の折畳線間に切取線が形成され、
他方の連結片には、対角線方向の折畳線に溝が形成され、
前記切取線が形成された連結片は、前記溝に結合され、前記溝が形成された連結片は、前記切取線に嵌入固定されることを特徴とする請求項１に記載の包装紙ボックス。
【請求項１５】
前記胴体部の左右連結部外縁は、アール形状に形成されていることを特徴とする請求項１に記載の包装紙ボックス。
【請求項１６】
前記カバー部の左右側延長片外縁は、アール形状に形成されていることを特徴とする請求項１に記載の包装紙ボックス。
【請求項１７】
前記延長片は、携帯のための紐が取り付けられたものであることを特徴とする請求項７又は１６に記載の包装紙ボックス。
【発明の詳細な説明】
【技術分野】
【０００１】
本発明は、包装紙ボックスに関し、特に一枚の包装紙を折って第１及び第２連結片を結合し、第３及び第４連結片を結合することによって、ユーザが包装紙の裁断無しに簡便に製造することができる包装紙ボックスに関する。
【背景技術】
【０００２】
一般的に、包装紙ボックスは、物品をボックス単位で包装するのに用いられるものであって、従来の包装紙ボックスは、前面と背面を形成する幅が広い面と、両側面を形成する幅が狭い面とが折畳可能に交互にまたは一体に包装紙を裁断して形成され、各面の上下には、接着部位を形成する翼部が一体に形成されていて、各面が直角になるように折曲、接着した後、上部が開放されるように、互いに交差する翼部を互いに接着して直六面体形状の物品収納空間を形成し、この空間に物品を入れた状態で開放されている部位の翼部を互いに交差するように折曲し、当該接触部位を接着する方式で包装するものである（例えば、特許文献１乃至５参照。）。
【０００３】
このような包装紙ボックスは、包装紙の裁断による包装紙ゴミが多く発生するので、資源浪費であるだけでなく、包装紙ゴミの処理費用が発生するので、非経済的で且つ環境を害するものであるという短所がある。
【０００４】
また、食べ物を包装紙ボックスで包装する場合、食べ物が収納された包装紙ボックス内へ手を入れて食べ物を取り出して食べなければならないという不便があり、また、包装紙に収納された食べ物をユーザが気楽に食べるために、お盆や皿などのような容器に盛らなければならないという不便もある。
【特許文献１】特開２００６−６２７１３号
【特許文献２】特開２００６−２７３３６８号
【特許文献３】特開２００７−３０９１０号
【特許文献４】特開２００７−７６７００号
【特許文献５】特開２００７−８４０９０号
【発明の開示】
【発明が解決しようとする課題】
【０００５】
本発明の目的は、一枚の包装紙を折って第１及び第２連結片を結合し、第３及び第４連結片を結合することによって、ユーザが包装紙の裁断無しに簡便に包装紙ボックスを製造することができるようにすることにある。
【課題を解決するための手段】
【０００６】
上記目的を達成するための本発明の実施例に係る包装紙ボックスは、収容空間を形成し、第１及び第２連結片を含む胴体部と、前記胴体部を覆うカバー部と、前記胴体部と前記カバー部との間に嵌挿連結される第３及び第４連結片を含む連結部とを備えてなり、前記第１及び第２連結片が互いに結合され、前記第３及び第４連結片が結合されることを特徴とする。
【０００７】
好ましくは、前記第１と第２の各連結片は、折畳時に同じ位置に重なって形成される一対の切取線を含み、前記第１の連結片の切取線に、第２の連結片が挿入され、前記第２の連結片の切取線に、第１の連結片が挿入されることを特徴とする。
【０００８】
好ましくは、前記第３と第４の各連結片は、折畳時に互いに対向する位置に形成された一対の切取線を含み、前記第３と第４のいずれか一方の連結片の切取線に、他方の連結片が挿入されることを特徴とする。
【０００９】
好ましくは、前記第１乃至第４連結片は、一対の切取線に延長形成された切取溝を含むことを特徴とする。
【００１０】
好ましくは、前記胴体部は、前記収容空間を形成するために底片、左右片、前方片及び後方片を含むことを特徴とする。
【００１１】
好ましくは、前記左右片には、通気口が形成されたことを特徴とする。
【００１２】
好ましくは、前記カバー部は、上部片と、該上部片から延長されて折曲された延長片と、を含むことを特徴とする。
【００１３】
好ましくは、前記延長片には、前記胴体部に設けられた固定溝に挿入される係止部を含むことを特徴とする。
【００１４】
好ましくは、前記カバー部は、前記上部片から左右側に延長されて折曲された左右延長片をさらに含むことを特徴とする。
【００１５】
好ましくは、前記第１及び第２連結片のうちいずれか一方の連結片には、折畳時に下方に開口される第１切取線が形成され、他方の連結片には、折畳時に上方に開口される第２切取線が形成され、前記第１切取線に第２切取線が嵌挿されることによって連結片が結合されることを特徴とする。
【００１６】
好ましくは、前記第３及び第４連結片は、折畳時に互いに対向する位置に形成された一対の切取線と、該一対の切取線に対応する位置に形成された１つの切取線と、を含み、前記一対の切取線及び１つの切取線に対応する連結片が挿入されることを特徴とする。
【００１７】
好ましくは、前記上部片は、通気口が形成されたものであることを特徴とする。
【００１８】
好ましくは、前記カバー部は、前記通気口が開閉できるように開閉部が設置されたことを特徴とする。
【００１９】
好ましくは、前記第３及び第４連結片のうちいずれか一方の連結片には、対角線方向の折畳線間に切取線が形成され、他方の連結片には、対角線方向の折畳線に溝が形成され、前記切取線が形成された連結片は、前記溝に結合され、前記溝が形成された連結片は、前記切取線に嵌入固定されることを特徴とする。
【００２０】
好ましくは、前記胴体部の左右連結部外縁は、アール形状に形成されていることを特徴とする。
【００２１】
好ましくは、前記カバー部の左右側延長片外縁は、アール形状に形成されていることを特徴とする。
【００２２】
好ましくは、前記延長片は、携帯のための紐が取り付けられたものであることを特徴とする。
【発明の効果】
【００２３】
本発明によれば、一枚の包装紙を折って第１乃至第４連結片を結合することによって、胴体部とカバー部とからなる包装紙ボックスを簡便に作ることができるという効果がある。これにより、包装紙裁断過程は不要となり、包装紙ゴミが発生しないため、資源を経済的に使用することができる。
【００２４】
また、前述のような本発明によれば、第１乃至第４連結片に形成された第１乃至第４切取線に延長されて第１乃至第４切取溝を形成することによって、第１及び第２連結片が互いに結合され、第３及び第４連結片の結合時に第１乃至第４切取線周辺の包装紙が裂けることを防止することができるという効果がある。
【００２５】
また、前述のような本発明によれば、折畳時に連結片の下方に開口される第１切取線と他の連結片の上方に開口される第２切取線を形成することによって、連結片の結合が容易であるだけでなく、収容空間を有する胴体部を簡単に作ることができるという効果がある。
【００２６】
また、前述のような本発明によれば、カバー部に形成された係止部を胴体部の固定溝に挿入固定させることによって、ユーザの外力が加えられない限り、胴体部からカバー部が分離しないという効果がある。
【００２７】
また、前述のような本発明によれば、一対の第４切取線と、該第４切取線に対応する位置に形成された第６切取線に第３連結片の終端を挿入し、一対の第３切取線と、第３切取線に対応する位置に形成された第５切取線に第４連結片の終端を挿入させることによって、連結片の終端を第３乃至第６切取線に固定させることができるという効果がある。
【００２８】
また、前述のような本発明によれば、食べ物を収納した包装紙ボックスに第１乃至第４連結片を分離することによって、ボックス内へ手を入れて食べ物を取り出して食べなければならない不便と、食べ物を込めるための容器を準備しなければならないという不便を解消することができるという効果がある。
【００２９】
また、前述のような本発明によれば、包装紙ボックスの左右側面に通気口を形成することによって、包装紙ボックスに収納された内容物、例えば、食べ物を指定期間の間に腐らないように保管することができるという効果がある。
【００３０】
また、前述のような本発明によれば、第１及び第２延長片に紐を取り付けることによって、ユーザが包装紙ボックスを簡便に携帯することができるという効果もある。
【００３１】
そして、前述のような本発明によれば、カバー部の左右側連結片がアール形状に形成されることで、胴体部の左右片を便利に覆うことができるという効果もある。
【発明を実施するための最良の形態】
【００３２】
以下、添付の図面を参照して本発明の好ましい実施例を詳細に説明する。
【００３３】
本発明の一実施例に係る包装紙ボックスを図１乃至図５を参照して説明する。  
【００３４】
図１は、本発明の一実施例に係る包装紙ボックスの展開図であり、図２乃至図５は、本発明の一実施例に係る包装紙ボックスを作る過程を順次に説明するための図である。
【００３５】
図１を参照すれば、本発明の一実施例に係る包装紙ボックスは、広告面を有する包装紙１と、該包装紙１を折って最終的に胴体部１０及びカバー部２０を作り、ボックス形態を維持するための第１乃至第４連結片（図示せず）とを備えて構成される。
【００３６】
包装紙１の材質は、紙である。
【００３７】
本実施例において、包装紙１の材質を紙として説明しているが、本発明は、これに限定されるものではなく、その他折畳可能なものでも可能である。
【００３８】
包装紙１は、垂直水平方向の折畳線１ａ乃至１ｆが形成されており、対角線方向の折畳線１３ａ、１４ａ、２４ａ、２５ａが形成されている。
【００３９】
また、包装紙１には、折畳時に互いに同じ位置に形成される一対の第１及び第２切取線１１ａ、１２ａと、折畳時に互いに対向する位置に形成される一対の第３及び第４切取線２１ａ、２２ａとが形成されている。
【００４０】
また、包装紙１は、このような第１乃至第４切取線１１ａ、１２ａ、２１ａ、２２ａに各々延長されて、第１乃至第４切取溝１１ｂ、１２ｂ、２１ｂ、２２ｂが形成されている。
【００４１】
また、包装紙１は、胴体部１０の左右側片に通気口１５が形成されており、カバー部２０の上部片に通気口２７が形成されている。
【００４２】
本実施例において、胴体部１０に形成された通気口１５及びカバー部２０の上部片に形成された通気口２７の形状を図１に示されたような半月状で説明しているが、本発明は、これに限定されるものではなく、図１１に示されたような通気口１５、２７の形状でも可能である。
【００４３】
特に、図１１から分かるように、一対の通気口２７をカバー部２０の上部片に形成することも可能である。しかも、胴体部１０の左右側面にも同様に一対の通気口１５を形成することが可能である。
【００４４】
また、包装紙１の胴体部１０には、カバー部２０の延長片に形成された係止部２３が挿入固定される固定溝１６が形成されている。
【００４５】
この時、カバー部２０に形成された係止部２３は、該係止部２３の両側に各々延長された第５及び第６切取線２３ａが形成されており、該第５及び第６切取線２３ａに延長され、第５及び第６切取溝２３ｂが形成されている。
【００４６】
図２及び図３を参照すれば、胴体部１０は、前方片１０ａ、底片１０ｂ、左右片１０ｃ及び後方片１０ｄを含む。このような胴体部１０は、収容空間を有する。
【００４７】
前方片１０ａは、包装紙１を折畳時に作られる。すなわち、胴体部１０に形成された対角線の第１及び第２折畳線１３ａ、１４ａに沿って折る場合、第１及び第２連結片１３、１４が作られ、該第１連結片１３の終端を第２連結片１４に設けられた一対の第２切取線１２ａに嵌挿連結させ、第２連結片１４の終端を第１連結片１３に設けられた一対の第１切取線１１ａに嵌挿連結させることによって、前方片１０ａが完成される。
【００４８】
このような前方片１０ａは、第１及び第２折畳線１ａ、１ｂと交差する第３折畳線１ｃを基準にして第１及び第２対角線の折畳線１３ａ、１４ａと固定溝１６が形成された包装紙１の一部区域として作られる。
【００４９】
この時、第１及び第２切取線１１ａ、１２ａは、折畳時に互いに同じ位置に重なって形成されており、該第１及び第２切取線１１ａ、１２ａに延長されて、第１及び第２切取溝１１ｂ、１２ｂが形成されている。
【００５０】
第１切取溝１１ｂは、第２連結片１４の終端が第１切取線１１ａに挿入されても、該第１切取線１１ａ周辺の包装紙１が裂けることを防止するための溝である。
【００５１】
また、第２切取溝１２ｂも同様に、第１連結片１３の終端が第２切取線１２ａに挿入されても、該第２切取線１２ａ周辺の包装紙１が裂けることを防止するための溝である。
【００５２】
このように前方片１０ａが作られる場合、左右片１０ｃと底片１０ｂも共に完成される。底片１０ｂは、第３折畳線１ｃと第４折畳線１ｄとの間の包装紙１の一部区域のうち通気口１５が形成されていない中央区域として作られ、左右片１０ｃは、第３折畳線１ｃと第４折畳線１ｄとの間に通気口１５が形成された包装紙１の一部区域として作られる。
【００５３】
次に、後方片１０ｄは、図４に示されたように、胴体部１０とカバー部２０との間に嵌挿連結される第３及び第４連結片２４、２５が結合されて作られる。
【００５４】
すなわち、胴体部１０とカバー部２０との間に形成された対角線方向の第３及び第４折畳線２４ａ、２５ａに沿って折る場合、第３及び第４連結片２４、２５が作られ、該第３連結片２４の終端を第４連結片２５に設けられた一対の第４切取線２２ａに嵌挿連結したり、第４連結片２５の終端を第３連結片２４に設けられた一対の第３切取線２１ａに嵌挿連結されることによって、後方片１０ｄが完成される。
【００５５】
この時、第３及び第４切取線２４ａ、２５ａは、折畳時に互いに対向する位置に形成されており、該第３及び第４切取線２４ａ、２５ａに延長されて第３及び第４切取溝２４ｂ、２５ｂが形成されている。
【００５６】
このような第３及び第４切取溝２４ｂ、２５ｂは、第３連結片２４の終端が第４切取線２５ａに挿入されたり、第４連結片２５の終端が第３切取線２４ａに挿入されても、第３及び第４切取線２４ａ、２５ａ周辺の包装紙１が裂けることを防止するための溝である。
【００５７】
このように包装紙１に形成された水平垂直方向の第１乃至第７の折畳線１ａ乃至１ｆと対角線方向の第１乃至第４折畳線１３ａ、１４ａ、２４ａ、２５ａを折って第１連結片乃至第４連結片１３、１４、２４、２５に結合することによって、胴体部１０の前方片１０ａ、底片１０ｂ、左右片１０ｃ及び後方片１０ｄを簡便に作ることができ、前記胴体部１０をカバー部２０で覆い、包装紙ボックスを完成する。
【００５８】
カバー部２０は、上部片２０ａと、該上部片２０ａから延長されて折曲された第１乃至第３延長片２０ｂ乃至２０ｄとを含む。この時、第１及び第２延長片２０ｂ、２０ｃは、上部片２０ａから左右側に延長されて折曲された左右延長片であり、係止部２３が形成された第３延長片２０ｄの左右側に設けられる。
【００５９】
第３延長片２０ｄに形成された係止部２３は、胴体部１０に設けられた固定溝１６に挿入固定される。これにより、外力によりカバー部２０を開かない限り、カバー部２０が開かないようになる。
【００６０】
胴体部１０に設けられた固定溝１６に、カバー部２０の第３延長片２０に形成された係止部２３を挿入固定し、包装紙ボックスを完成する。このように完成された包装紙ボックスは、図５に示された通りである。
【００６１】
かくして、一枚の包装紙１を折って第１乃至第４連結片１３、１４、２４、２５を結合させることによって、胴体部１０とカバー部２０とからなる包装紙ボックスを簡便に製造することができる。
【００６２】
しかも、胴体部１０に食べ物を収納して包装紙ボックスを作る場合、包装紙ボックス内の食べ物を食べる時、簡単に第１乃至第４連結片１３、１４、２４、２５を分離して食べ物を食べることができる。
【００６３】
本実施例において、包装紙ボックスに食べ物が収納されるものとして説明しているが、本発明は、これに限定されるものではない。
【００６４】
以下では、本発明の他の実施例に係る包装紙ボックスを図６乃至図１０を参照して説明する。
【００６５】
図６は、本発明の他の実施例に係る包装紙ボックスの展開図であり、図７乃至図１０は、本発明の他の実施例に係る包装紙ボックスを作る過程を順次に説明するための図である。
【００６６】
図６に示された本発明の他の実施例に係る包装紙ボックスは、一枚の包装紙２を折って胴体部３０及びカバー部４０を作り、胴体部３０とカバー部４０とが結合されたボックス形態を維持するように第１乃至第４連結片（図示せず）を備えてなるという点から前述した本発明の一実施例と同様である。
【００６７】
但し、本発明の他の実施例に係る包装紙ボックスは、第１乃至第４連結片の構成が前述した本発明の一実施例と異なるので、後述する説明では、その差異点だけを説明する。
【００６８】
包装紙２には、垂直水平方向の折畳線２ａ乃至２ｆと、対角線方向の折畳線３３ａ、３４ａ、４４ａ、４５ａとが形成されている。
【００６９】
また、包装紙２は、折畳時に下方に開口される第１切取線３１ａと、折畳時に上方に開口される第２切取線３２ａと、折畳時に互いに対向する位置に形成された一対の第３及び第４切取線４１ａ、４２ａと、第３切取線４１ａに対応する位置に形成された第５切取線４１ｂと、折畳時、互いに対向する位置に形成された一対の第４切取線４２ａ及び第４切取線４２ａに対応する位置に形成された第６切取線４２ｂとが形成されている。
【００７０】
包装紙２を折って作った収容空間を有する胴体部３０には、カバー部４０の延長片に形成された係止部４３が挿入固定される固定溝３６が形成されている。
【００７１】
この時、カバー部４０に形成された係止部４３は、該係止部４３の両側に各々延長された第５及び第６切取線４３ａが形成されており、該第５及び第６切取線４３ａに延長されて第５及び第６切取溝４３ｂが形成されている。
【００７２】
図７乃至図９を参照すれば、胴体部３０は、前方片３０ａ、底片３０ｂ、左右片３０ｃ及び後方片３０ｄを含む。
【００７３】
前方片３０ａは、包装紙２を折畳時に作られる。すなわち、胴体部３０に形成された対角線方向の第１及び第２折畳線３３ａ、３４ａに沿って折る場合、第１及び第２連結片３３、３４が作られ、該第１連結片３３に形成された第１切取線３１ａに第２連結片３４の第２切取線３２ａが嵌挿することによって、前方片３０ａが完成される。
【００７４】
このような前方片３０ａは、第１及び第２折畳線２ａ、２ｂと交差する第３折畳線２ｃを基準にして対角線方向の第１及び第２折畳線３３ａ、３４ａと固定溝３６が形成された包装紙２の一部区域として作られる。
【００７５】
この時、第１連結片３３には、折畳時に下方に開口される第１切取線３１ａが形成されており、第２連結片３４には、折畳時に上方に開口される第２切取線３２ａが形成されている。
【００７６】
このように前方片３０ａが作られる場合、左右片３０ｃと底片３０ｂも共に完成される。底片３０ｂは、第３折畳線２ｃと第４折畳線２ｄとの間の包装紙２の一部区域のうち中央区域として作られ、左右片３０ｃは、第３折畳線２ｃと第４折畳線２ｄとの間の包装紙２の一部のうち左右側区域として作られる。
【００７７】
次に、後方片３０ｄは、図９に示されたように、胴体部３０とカバー部４０との間に嵌挿連結される第３及び第４連結片４４、４５が結合されて作られる。
【００７８】
すなわち、胴体部３０とカバー部４０との間に形成された対角線の第３及び第４切取線４４ａ、４５ａに沿って折る場合、第３及び第４連結片４４、４５が作られ、該第３連結片４４の終端を第４連結片４５に設けられた一対の第４切取線４２ａ及び該第４切取線４２ａに対応する位置に形成された第６切取線４２ｂに挿入し、第４連結片４５の終端を第３連結片４４に設けられた一対の第３切取線４１ａ及びその第３切取線４１ａに対応する位置に形成された第５切取線４１ｂに挿入することによって、後方片３０ｄが完成される。
【００７９】
このように第４及び第６切取線４２ａ、４２ｂに第３連結片４４の終端を挿入し、第３及び第５切取線４１ａ、４１ｂに堅固に第４連結片４５の終端を挿入することによって、第３連結片４４と第４連結片４５が分離しないように固定される。
【００８０】
本実施例において、第３連結片４４と第４連結片４５の終端を該当切取線に各々挿入するものとして説明しているが、本発明は、これに限定されるものではなく、第３連結片４４及び第４連結片４５のうちいずれか一方の連結片の終端を該当切取線に挿入することができる。
【００８１】
このように包装紙２に形成された水平垂直方向の第１乃至第７の折畳線２ａ乃至２ｆと対角線方向の第１乃至第４折畳線３３ａ、３４ａ、４４ａ、４５ａを折って第１連結片乃至第４連結片３３、３４、４４、４５に結合することによって、胴体部３０の前方片３０ａ、底片３０ｂ、左右片３０ｃ及び後方片３０ｄを簡便に作ることができ、該胴体部３０をカバー部４０で覆い、包装紙ボックスを完成する。
【００８２】
カバー部４０は、上部片４０ａと、該上部片４０ａから延長されて折曲された第１乃至第３延長片４０ｂ乃至４０ｄとを含む。この時、第１及び第２延長片４０ｂ、４０ｃは、上部片４０ａから左右側に延長されて折曲された左右延長片であり、係止部４３が形成された第３延長片４０ｄの左右側に設けられている。
【００８３】
第３延長片４０ｄに形成された係止部４３は、胴体部３０に設けられた固定溝３６に挿入固定される。
【００８４】
このように胴体部３０に設けられた固定溝３６に係止部４３を挿入固定し、包装紙ボックスを完成する。完成された包装紙ボックスは、図１０に示された通りである。
【００８５】
本発明の他の実施例に係る変形実施例として、本発明の他の実施例に係る包装紙ボックスは、図１２に示されたように、カバー部４０の上部片に一対の通気口４７をさらに備えてなる。
【００８６】
かくして、包装紙ボックスを作るための裁断過程無しに一枚の包装紙１を折って第１乃至第４連結片３３、３４、４４、４５を結合して、胴体部１０とカバー部２０とからなる包装紙ボックスを簡便に製造することができる。
【００８７】
本発明の一実施例において、正六面体形状の包装紙ボックスを製造し、本発明の他の実施例で直六面体の包装紙ボックスを製造することを説明しているが、本発明は、これに限定されるものではない。
【００８８】
すなわち、図１３から分かるように、胴体部３０の底片３０ｂ及びカバー部４０の上部片４０ａを図１２の底片３０ｂ及び上部片４０ａより広い区域を有するように折畳線を形成し、カバー部４０の延長片４０ｂ乃至４０ｄを図１２の延長片４０ｂ乃至４０ｄより少ない区域を有するように折畳線を形成し、折畳時に第１乃至第４連結片３３、３４、４４、４５を結合させて、本発明の他の実施例と異なる形状を有する直六面体の包装紙ボックスを製造することができる。この時、カバー部４０の第３延長片４０ｄに形成された係止部４３は、胴体部３０に設けられた固定溝３６に挿入固定される。
【００８９】
図１４は、本発明のまた他の実施例に係る包装紙ボックスの展開図であり、図１５及び図１６は、図１４に示された包装紙ボックスを作る過程を説明するための図である。
【００９０】
図１４に示された本発明のまた他の実施例に係る包装紙ボックスは、一枚の包装紙３を折って胴体部５０とカバー部６０を作り、胴体部５０とカバー部６０とが結合されたボックス形態を維持するように第１乃至第４連結片を備えてなるという点から前述した本発明の他の実施例と同様である。
【００９１】
但し、本発明のまた他の実施例に係る包装紙ボックスは、第３及び第４連結片の結合方式が前述した実施例とは異なって変形されたので、後述する説明では、その差異点を中心にして説明する。
【００９２】
包装紙３は、垂直水平方向の折畳線３ａ乃至３ｆと、対角線方向の折畳線５３ａ、５４ａ、６４ａ、６５ａが形成されている。このような折畳線が形成された包装紙３には、折畳時、下方に開口される第１切取線５１ａと、折畳時、上方に開口される第２切取線５２ａと、対角線方向の折畳線６４ａ間に形成された第３切取線６１ａと、対角線方向の折畳線６５ａに一対の溝６２ｂが形成されている。
【００９３】
折畳時、図１５に示したように第１及び第２連結片５３、５４が結合されて前方片５０ａが作られる。さらに説明すれば、前方片５０ａは、包装紙３を折畳時に作られるが、前方片５０ａは、左右連結部５０１、５０２と前方部５０３とで構成される。左右連結部５０１、５０２に対角線方向の第１及び第２折畳線５３ａ、５４ａが各々形成されている。折畳時、左右連結部５０１、５０２が連結されれば、第１及び第２連結片５３、５４が作られ、これは、前方部５０３裏側で連結される。このように前方片５０ａが作られれば、左右片５０ｃと底片５０ｂも共に完成される。
【００９４】
そして、第３及び第４折畳線６４ａ、６５ａに沿って折ると、第３及び第４連結片６４、６５が作られ、その第３連結片６４に形成された第３切取線６１ａに第４連結片６５の一対の溝６２ｂが嵌挿されることによって後方片６０ｂが完成される。これは、図１６によく示されている。
【００９５】
言い換えれば、第３切取線６１ａが形成された第３連結片６４は、第４連結片６５の折畳線６５ａに形成された溝６２ｂに結合される。そして、溝６２ｂが形成された第４連結片６５は、第３切取線６１ａに嵌挿固定される。このような一対の溝６２ｂに沿って第３切取線６１ａから第４連結片６５が抜け出ないように固定される。
【００９６】
このような第１乃至第４連結片５３、５４、６４、６５に結合することによって、胴体部５０の前方片５０ａ、底片５０ｂ、左右片５０ｃ及び後方片５０ｄを簡便に作ることができ、その胴体部５０をカバー部６０で覆って包装紙ボックスを完成することができる。
【００９７】
カバー部６０は、上部片６０ａと、その上部片６０ａから延長されて折曲された第１乃至第３延長片６０ｂ乃至６０ｄとを含む。ここで、上部片６０ａには、一対の通気口６７が形成され、その通気口６７を開閉可能に開閉部（図示せず）が形成される。このような開閉部は、前述した実施例でも適用可能である。第３延長片６０ｄに形成された係止部６３は、胴体部５０に作られた固定溝５６に挿入固定される。このように胴体部５０に作られた固定溝５６に係止部６３を挿入固定して包装紙ボックスを完成する。
【００９８】
第１及び第２延長片６０ｂ、６０ｃには、紐６８の取り付けのために孔６９が形成され、その孔６９に紐６８が結合される。これにより、ユーザが包装紙ボックスを簡便に携帯することができる。このような紐６８は、前述した実施例でも適用可能であることはもちろんである。
【００９９】
図１７は、本発明のさらに他の実施例に係る包装紙ボックスの展開図であり、図１８は、図１７に示された包装紙ボックスが結合された状態を示す図である。
【０１００】
本発明のさらに他の実施例に係る包装紙ボックスは、本発明のさらに他の実施例に係る変形実施例であって、図１７に示したように胴体部７０の左右連結部７０１、７０２と、カバー部８０の上部片８０ａから延長された折曲された第１延長片８０ｂ（左側）及び第２延長片８０ｃ（右側）がアール形状に形成されている。
【０１０１】
アール形状に形成された胴体部７０の左右連結部７０１、７０２と、カバー部８０の第１及び第２延長片８０ｂ、８０ｃとを具備した包装紙ボックスは、図１８に示したようにアール形状に形成されている胴体部７０の左右連結部７０１、７０２に形成された第１及び第２折畳線７３ａ、７４ａを折ることによって第１及び第２連結片７３、７４が作られ、第１及び第２連結片７３、７４が各々第１及び第２切取線７１ａ、７２ａに結合されて前方片７０ａが完成される。このように前方片７０ａが作られれば、左右片７０ｃと底片７０ｂも共に完成される。そして、第３及び第４折畳線８４ａ、８５ａに沿って折ることによって第３及び第４連結片８４、８５が作られ、第３及び第４連結片８４、８５が各々第３切取線８１ａ及び一対の溝８２ｂに結合されて後方片７０ｄが完成される。
【０１０２】
以後、前方片７０ａ、底片７０ｂ、左右片７０ｃ及び後方片７０ｄで構成された胴体部７０をカバー部８０で覆って包装紙ボックスを裁断過程無しに折ることによって、簡便に完成することができる。また、前述した実施例において胴体部５０の左右片５０ｃを覆う第１及び第２延長片６０ｂ、６０ｃに比べて、アール形状に形成された第１及び第２延長片８０ｂ、８０ｃで胴体部７０の左右片７０ｃをさらに便利に覆うことができる。この時、第１及び第２延長片８０ｂ、８０ｃには、携帯のための紐８８の取り付けのために孔８９が形成され、その孔８９に紐８８が結合されることができる。
【０１０３】
以上において説明した本発明は、前述した実施例に限定されず、当業者により様々な置換、変形及び変更が可能であり、これは、添付の請求範囲で定義される本発明の趣旨と範囲に含まれる。
【図面の簡単な説明】
【０１０４】
【図１】本発明の一実施例に係る包装紙ボックスの展開図である。
【図２】本発明の一実施例に係る包装紙ボックスを作る過程を順次に説明するための図である。
【図３】本発明の一実施例に係る包装紙ボックスを作る過程を順次に説明するための図である。
【図４】本発明の一実施例に係る包装紙ボックスを作る過程を順次に説明するための図である。
【図５】本発明の一実施例に係る包装紙ボックスを作る過程を順次に説明するための図である。
【図６】本発明の他の実施例に係る包装紙ボックスの展開図である。
【図７】本発明の他の実施例に係る包装紙ボックスを作る過程を順次に説明するための図である。
【図８】本発明の他の実施例に係る包装紙ボックスを作る過程を順次に説明するための図である。
【図９】本発明の他の実施例に係る包装紙ボックスを作る過程を順次に説明するための図である。
【図１０】本発明の他の実施例に係る包装紙ボックスを作る過程を順次に説明するための図である。
【図１１】本発明の一実施例に係る変形された包装紙ボックスの展開図である。
【図１２】本発明の他の実施例に係る変形された包装紙ボックスの展開図である。
【図１３】本発明の他の実施例に係る変形された包装紙ボックスの展開図である。
【図１４】本発明のまた他の実施例に係る包装紙ボックスの展開図である。
【図１５】図１４に示された包装紙ボックスを作る過程を説明するための図である。
【図１６】図１４に示された包装紙ボックスを作る過程を説明するための図である。
【図１７】本発明のさらに他の実施例に係る包装紙ボックスの展開図である。
【図１８】図１７に示された包装紙ボックスが結合された状態を示す図である。
【符号の説明】
【０１０５】
１０    胴体部
１１ａ  第１切取線
１１ｂ  第１切取溝
１２ａ  第２切取線
１２ｂ  第２切取溝
１３    第１連結片
１４    第２連結片
１５    通気口
１６    固定溝
２０    カバー部
２１ａ  第３切取線
２１ｂ  第３切取溝
２２ａ  第４切取線
２２ｂ  第４切取溝
２３    係止部
【図１】
2008155997.tif 000003
【図２】
2008155997.tif 000004
【図３】
2008155997.tif 000005
【図４】
2008155997.tif 000006
【図５】
2008155997.tif 000007
【図６】
2008155997.tif 000008
【図７】
2008155997.tif 000009
【図８】
2008155997.tif 000010
【図９】
2008155997.tif 000011
【図１０】
2008155997.tif 000012
【図１１】
2008155997.tif 000013
【図１２】
2008155997.tif 000014
【図１３】
2008155997.tif 000015
【図１４】
2008155997.tif 000016
【図１５】
2008155997.tif 000017
【図１６】
2008155997.tif 000018
【図１７】
2008155997.tif 000019
【図１８】
2008155997.tif 000020